(57)【要約】【課題】デジタル放送において伝送されるデータ放送コンテンツの提示の際のユーザの待ち時間を低減させるため、視聴中のチャンネルが変更された場合でも受信済みのデータコンテンツを保持することで再度選局された際に再利用させることができるが、番組連動型データコンテンツなど更新頻度の高いコンテンツは保持しても再利用できない可能性があり、受信機の記憶装置の利用効率の点で不利である。【解決手段】データコンテンツを記憶する際の有効期限を番組情報と関連付けて記憶し、更新頻度が高く再利用の可能性が低いデータコンテンツを記憶しない構成とすることで、受信機の記憶装置の効率的な利用が可能となる。【選択図】図２
2009100142.tif 000002
【特許請求の範囲】
【請求項１】
地上デジタル放送を受信するデジタル放送受信部と、前記地上デジタル放送受信部により受信した放送波からデータコンテンツを取得するデータコンテンツ受信部と、前記データコンテンツ受信部により取得されるデータコンテンツを蓄積するデータコンテンツ記憶部と、前記デジタル放送受信部より放送中の番組情報を取得する番組情報取得部と、前記番組情報取得部にて取得される番組情報に基づいて前記データコンテンツ記憶部に蓄積されるデータコンテンツの有効期限を判定するコンテンツメモリ管理部とを備えたことを特徴とするデジタル放送受信装置。
【請求項２】
請求項１のデジタル放送受信装置において、コンテンツメモリ管理部は、データコンテンツ記憶部に蓄積されているデータコンテンツが放送中の番組と連動しているか否かにより、前記データコンテンツの有効期限を判定することを特徴とするデジタル放送受信装置。
【発明の詳細な説明】
【技術分野】
【０００１】
本発明は、地上デジタル放送受信装置のデータ放送受信方式に係るものであり、特に受信機に蓄積されるデータコンテンツの管理方法に関するものである。
【背景技術】
【０００２】
近年、テレビ放送の信号をデジタル化した、デジタル放送が普及している。デジタル放送では、映像、音声、データの組み合わせで放送番組が構成されており、デジタル放送は視聴するだけの放送から視聴者が参加する形へとインタラクティブ性が増している。
【０００３】
データコンテンツは、ＢＭＬというマークアップ言語で記述され、カルーセル形式で放送波に多重されて送出される。データ放送に対応したデジタル放送受信機はカルーセル形式で送出されているデータコンテンツを放送波から取得し、すべての構成要素が揃った時点でユーザへの提示を行う。データコンテンツは放送事業者により異なるので例えばユーザによるチャンネル切換が実行された際には再度データコンテンツを取得することになる。しかし、データコンテンツは映像および音声とは異なりリアルタイムで更新される可能性は低いということを鑑みてデータコンテンツを提示するまでのユーザの待ち時間を短縮するために、視聴中のチャンネルが更新された場合でも、受信済みのデータコンテンツを保持しておき、再度選局されたときに再利用する受信機が提案されている。
【特許文献１】特開平１０−３０４２６４号公報
【発明の開示】
【発明が解決しようとする課題】
【０００４】
しかしながら、データコンテンツには番組連動型と番組非連動のデータコンテンツがあり、特に番組連動型データコンテンツは一般的には放送中の番組が終了すると内容が更新され、また放送中であっても非連動型のコンテンツに比べて更新頻度が高いことが予想される。チャンネル変更時の再利用に備えてデータコンテンツを受信機のコンテンツメモリに保持しておく際に、番組連動型コンテンツのような更新頻度が高いコンテンツまで保持しておくことは、受信機のメモリの利用効率という点で不利である。
【０００５】
本発明の目的は上記課題を鑑みて、地上デジタル放送受信機において、データコンテンツの有効期限を放送中の番組情報を元に判定することで、番組連動型コンテンツなどの再利用の可能性が低いコンテンツを受信機のメモリに記憶しないようにするためのデータコンテンツ管理手段を提供することである。
【課題を解決するための手段】
【０００６】
上記目的を達成するために、本発明は、以下に述べるような特徴を有している。
【０００７】
地上デジタル放送受信手段と、前記地上デジタル放送受信手段により受信した放送波からデータコンテンツを取得するデータ放送受信手段と、前記データ放送受信手段により取得されるデータコンテンツを蓄積するデータコンテンツ蓄積手段と、前記デジタル放送受信手段より放送中の番組情報を取得する番組情報取得手段と、前記番組情報取得手段にて取得される番組情報を元に前記データコンテンツ蓄積手段に蓄積されるデータコンテンツの有効期限を判定するコンテンツメモリ管理手段を備えることで達成している。
【発明の効果】
【０００８】
以上のように、本発明によれば、デジタル放送受信機に記憶されるデータコンテンツの有効期限を番組情報と関連付けて判定する手段を備えることにより、番組連動型データコンテンツのような更新頻度の比較的高いデータコンテンツを不必要に記憶しないことができ、デジタル放送受信機のメモリを効率的に利用できる効果を有する。
【発明を実施するための最良の形態】
【０００９】
以下、図面を参照して、本発明の実施形態に係るデジタル放送受信機について説明する。
【００１０】
図１は、デジタル放送受信機のデジタル放送受信部２１１がデジタル放送を受信する場合の構成を示したブロック図である。デジタル放送受受信部２１１は、デジタル放送受信チューナ１１１およびＴＳ（Ｔｒａｎｓｐｏｒｔ  Ｓｔｒｅａｍ）デコーダ１１２を有している。デジタル放送受信チューナ１１１は、地上デジタルテレビジョン放送局および地上デジタル音声放送局からＴＳを受信する。ＴＳは、映像および音声などのデータが多重化された信号である。デジタル放送受信チューナ１１１にて受信されたＴＳは、ＴＳデコーダ１１２において、音声ＰＥＳ（Ｐａｃｋｅｔｅｄ  Ｅｌｅｍｅｎｔａｒｙ  Ｓｔｒｅａｍ）、映像ＰＥＳ、データセクション、ＰＳＩ（Ｐｒｏｇｒａｍ  Ｓｐｅｃｉｆｉｃａｉｏｎ  Ｉｎｆｏｒｍａｔｉｏｎ）、およびＳＩ（Ｓｅｒｖｉｃｅ  Ｉｎｆｏｒｍａｔｉｏｎ）に分離される。ＰＥＳは、タイムスタンプ情報を含んでおり、時刻同期をとりながら映像、音声などの文字を再生することが可能なデータ形式である。ＰＳＩ１１６は、番組特定情報と呼ばれ番組コンテンツおよび放送局に関する情報（放送局名、リモコンキーＩＤ、サービス識別情報、地域識別情報など）が含まれている。音声ＰＥＳは音声ＰＥＳ処理部１１３において、その音声データをスピーカ１１８に出力される。映像ＰＥＳ、データセクション、ＰＳＩ、およびＳＩは、それぞれ映像ＰＥＳ処理部１１４、データセクション処理部１１５、ＰＳＩ処理部１１６、ＳＩ処理部１１７において、それぞれ映像データ、データセクションデータ、ＰＳＩ情報、ＳＩ情報が取得され、ディスプレイ１１９でデジタル放送受信画面として表示される。
【００１１】
図２は、本発明の実施形態に係るデジタル放送受信機２００の構成を示すブロック図である。図２において、デジタル放送受信機２００は、デジタル放送受信部２１１、データコンテンツ受信部２１２、番組情報受信部２１３、データコンテンツ記憶部２１４、番組情報記憶部２１５、コンテンツメモリ管理部２１６、データコンテンツ管理情報記憶２１７、制御部２１８、操作部２１９、表示部２２０を備えている。
【００１２】
デジタル放送受信部２１１は、デジタル放送事業者からデジタル放送を受信する。データコンテンツ受信部２１２はデジタル放送受信部２１１において受信されたデジタル放送波から、ＤＳＭＣＣ（Ｄｉｇｉｔａｌ  Ｍｅｄｉａ  Ｓｔｒａｇｅ  Ｃｏｍｍａｎｄ  ａｎｄ  Ｃｏｎｔｒｏｌ）セクション形式で多重されたデータコンテンツをモジュール単位に分解し、データコンテンツ記憶部２１４に記憶する。番組情報取得部２１３は、デジタル放送受信部２１１において受信されたデジタル放送波から受信中のサービスにおいて放送されている番組に関する情報を取得し、番組情報記憶部２１５に記憶する。コンテンツメモリ管理部２１６はデータコンテンツ記憶部２１４に記憶されているデータコンテンツと番組情報記憶２１５に記憶されている番組情報の関連付けを行い、データコンテンツ管理情報記憶部２１７にデータコンテンツ管理情報として記憶する。またコンテンツメモリ管理部２１６は、制御部２１８からチャンネル切換などの動作指示を受け付けた場合に、データコンテンツ管理情報記憶部２１７に記憶されているデータコンテンツ管理情報を元にデータコンテンツ記憶部２１４に記憶されているデータコンテンツの削除および取得などの処理を実行する。制御部２１８は操作部２１９からのユーザ操作に応じた処理を実行する。操作部２１９はユーザからのチャンネル切換などの操作を行うユーザインターフェイスを提供する。表示部２２０はデータコンテンツ記憶部２１４に記憶されているデータコンテンツを表示する。
【００１３】
図３は、番組情報記憶部２１５に記憶される番組情報の構成例を示したものである。番組情報は、個々の番組を識別する識別子、番組が放送されているサービスを識別するためのサービスＩＤ、開始および終了時刻、データ連動番組か否かを示す情報から構成される。これらの情報はＳＩより取得される。
【００１４】
図４は、データコンテンツ管理情報記憶部２１７に記憶されるデータコンテンツ管理情報の構成例を示したものである。データコンテンツ管理情報はデータコンテンツ記憶部２１４に記憶されるデータコンテンツと番組情報記憶部２１５に記憶される番組情報の対応関係を示したものである。データコンテンツが番組連動型か番組非連動型からの判定および番組連動型のデータコンテンツである場合の番組情報との対応付けはデータコンテンツを受信した時刻に放送されている番組の識別情報を番組情報記憶部２１５から取得することで行われる。
【００１５】
次に、図５および図６を参照して、本発明に係るデジタル放送受信機２００において、データ放送コンテンツを受信した際の動作を例に挙げて説明する。なお、図５はデジタル放送受信機がデータ放送コンテンツを受信した際に実行されるフローチャートであり、図６はデジタル放送受信機２００においてチャンネル切換が行われた際に実行されるフローチャートである。
【００１６】
図５において、デジタル放送受信機２００のデジタル放送受信部２１１は番組情報を受信し、番組情報記憶部２１５に記憶する（ステップＳ１１）。次にデジタル放送受信部２１１はデータコンテンツを受信しデータコンテンツ記憶部２１４に記憶する（ステップＳ１２）。次にコンテンツメモリ管理部２１６は、データコンテンツ受信時の時刻を元に番組情報記憶部２１５を検索し、データコンテンツ受信時に放送されている番組情報を取得する。（ステップＳ１３）。コンテンツメモリ管理部２１６は取得した番組情報から番組を識別する識別子の取得およびデータ連動型番組かデータ非連動型番組かの判定を行う（ステップＳ１４）。次にコンテンツメモリ管理部２１６は、受信したデータコンテンツとステップＳ１４で取得した情報の対応付けを行いデータコンテンツ管理情報記憶部２１７へ記憶する（ステップＳ１５）。
【００１７】
なお、番組連動型データコンテンツか否かの判定には、ＤＳＭＣＣの汎用イベントメッセージ機能を用いる構成としてもよい。例えばデータコンテンツを送出する際に汎用イベントメッセージ中に、番組連動型であるか否かの情報を埋め込んでおき、受信機は前記汎用イベントメッセージを受信した際に前記番組連動型であるか否かの情報を読み出すことにより、対応するデータコンテンツが番組連動型か否かの判定を行う構成としてもよい。
【００１８】
次にチャンネル切換が実行された際の受信機処理について説明する。図６において、操作部２１９からユーザのチャンネル切換要求を受け付けると、制御部２１８がチャンネル切換処理を実行する。制御部２１８はコンテンツメモリ管理部２１６にチャンネル切換を通知する（ステップＳ２１）。コンテンツメモリ管理部２１６はデータコンテンツ管理情報記憶部２１７を検索し視聴中のサービスにおいて受信済みのデータコンテンツに対応するデータコンテンツ管理情報を取得する（ステップＳ２２）。次にコンテンツメモリ管理部２１６は視聴中のサービスにおいて受信済みのデータコンテンツが番組連動型コンテンツか否かの判定を行う（ステップＳ２３）。番組連動型コンテンツであると判定された場合、コンテンツメモリ管理部２１６はデータコンテンツ記憶部２１４から視聴中サービスにおいて受信済みのデータコンテンツを削除する（ステップＳ２４）。次にコンテンツメモリ管理部２１６はデータコンテンツ管理情報記憶部２１７から視聴中サービスにおいて受信済みのデータコンテンツに関する情報を削除する（ステップ２５）。番組連動型コンテンツでないと判定された場合はデータコンテンツおよびデータコンテンツ管理情報ともに削除せずに、切換先チャンネルでの再利用に備える。
【００１９】
なお、本実施例ではデータコンテンツを削除するタイミングをチャンネル切換が実行された時としたが、これをチャンネル切換が実行された時でも連動する番組が終了するまでは、データコンテンツおよびデータコンテンツ管理情報は削除しない構成としてもよい。
【００２０】
以上のように、本発明によれば、デジタル放送受信機に記憶されるデータコンテンツの有効期限を番組情報と関連付けて判定する手段を備えることにより、番組連動型データコンテンツのような更新頻度の比較的高いデータコンテンツを不必要に記憶しないことができ、デジタル放送受信機のメモリを効率的に利用することが可能となる。
【産業上の利用可能性】
【００２１】
本発明は、データ放送に対応したデジタル放送受信機、特にデータコンテンツの再利用のために受信済みのデータコンテンツを受信機の記憶装置から削除せずに保持しておくことができるデジタル放送受信機に有用である。
【図面の簡単な説明】
【００２２】
【図１】デジタル放送受信機がデジタル放送を受信する場合の、デジタル放送受信部２１１の構成を示したブロック図
【図２】本発明の実施形態に係るデジタル放送受信機の構成を示すブロック図
【図３】デジタル放送受信機が番組情報記憶部２１５に保存する番組情報の構成例を示す図
【図４】デジタル放送受信機がデータコンテンツ管理情報記憶部２１７に保存するデータコンテンツ情報の構成例を示す図
【図５】本発明の実施形態に係るデジタル放送受信機がデータコンテンツを記憶する場合の、フローチャート
【図６】本発明の実施形態に係るデジタル放送受信機にチャンネル切換時に実行される、フローチャート
【符号の説明】
【００２３】
１１１  デジタル放送受信チューナ
１１２  ＴＳデコーダ
１１３  音声ＰＥＳ処理部
１１４  映像ＰＥＳ処理部
１１５  データセクション処理部
１１６  ＰＳＩ処理部
１１７  ＳＩ処理部
１１８  スピーカ
１１９  ディスプレイ
２１１  デジタル放送受信部
２１２  データコンテンツ受信部
２１３  番組情報受信部
２１４  データコンテンツ記憶部
２１５  番組情報記憶部
２１６  コンテンツメモリ管理部
２１７  データコンテンツ管理情報記憶部
２１８  制御部
２１９  操作部
２２０  表示部
【図１】
2009100142.tif 000003
【図２】
2009100142.tif 000004
【図３】
2009100142.tif 000005
【図４】
2009100142.tif 000006
【図５】
2009100142.tif 000007
【図６】
2009100142.tif 000008